(57)【要約】【課題】幼児の表現力を向上させつつ手先の器用さ等をより一層向上させることができる玩具を提供する。【解決手段】互いに同一形状及び同一寸法に形成された複数の駒部材１と、駒部材１のそれぞれの外輪郭形状に合致する形状が複数並んで表示された表示面を有する表示部材２と、駒部材１を表示部材２の表示面３ａに対して脱着自在な状態で接着させ得る面ファスナーとを有し、複数の駒部材１を表示面３ａに表示された任意位置の形状に合致させつつ面ファスナーにて接着させることにより、当該表示面３ａに所望の図柄を表示可能とされた玩具である。【選択図】図３
0003206878.tif 000002
【実用新案登録請求の範囲】
【請求項１】
互いに同一形状及び同一寸法に形成された複数の駒部材と、
前記駒部材のそれぞれの外輪郭形状に合致する形状が複数並んで表示された表示面を有する表示部材と、
前記駒部材を前記表示部材の表示面に対して脱着自在な状態で接着させ得る接着手段と、
を有し、複数の前記駒部材を前記表示面に表示された任意位置の形状に合致させつつ前記接着手段にて接着させることにより、当該表示面に所望の図柄を表示可能とされたことを特徴とする玩具。
【請求項２】
前記接着手段は、前記駒部材と表示部材の表示面にそれぞれ形成された面ファスナーから成ることを特徴とする請求項１記載の玩具。
【請求項３】
前記表示部材の表示面が前記面ファスナーを構成する一方のファスナーとされるとともに、前記駒部材の前記表示面に対する接着面が前記面ファスナーを構成する他方のファスナーとされたことを特徴とする請求項２記載の玩具。
【請求項４】
前記駒部材は、所定の色の布材から成り、その裏面に前記他方の面ファスナーが形成されたことを特徴とする請求項３記載の玩具。
【請求項５】
前記駒部材は、外輪郭形状が円形とされたことを特徴とする請求項１〜４の何れか１つに記載の玩具。
【考案の詳細な説明】
【技術分野】
【０００１】
本考案は、複数の駒部材を表示手段の表示面に接着させることにより、当該表示面に所望の図柄を表示可能とされた玩具に関するものである。
【背景技術】
【０００２】
幼児の表現力等を向上させるための玩具として、近時において、種々形態のものが普及しており、例えば所定の形状及び色を有した磁石を鉄製の板状部材の表面の任意位置に吸着させるものが提案されている。かかる従来の玩具によれば、幼児が勝手自由に磁石を並べて板状部材の表面に並べて吸着させることにより、表現力の向上が期待される。なお、かかる先行技術は、文献公知発明に係るものでないため、記載すべき先行技術文献情報はない。
【考案の概要】
【考案が解決しようとする課題】
【０００３】
しかしながら、上記従来技術においては、勝手自由な位置に磁石を並べるものであるため、幼児の表現力を向上させることができると思われるものの、遊ぶ過程において表現力を向上させつつ手先の器用さ等をより一層向上させたいというニーズが高まっている。本出願人は、このようなニーズに対応することができる玩具を提供すべく、鋭意検討するに至った。
【０００４】
本考案は、このような事情に鑑みてなされたもので、幼児の表現力を向上させつつ手先の器用さ等をより一層向上させることができる玩具を提供することにある。
【課題を解決するための手段】
【０００５】
請求項１記載の考案は、互いに同一形状及び同一寸法に形成された複数の駒部材と、前記駒部材のそれぞれの外輪郭形状に合致する形状が複数並んで表示された表示面を有する表示部材と、前記駒部材を前記表示部材の表示面に対して脱着自在な状態で接着させ得る接着手段とを有し、複数の前記駒部材を前記表示面に表示された任意位置の形状に合致させつつ前記接着手段にて接着させることにより、当該表示面に所望の図柄を表示可能とされたことを特徴とする玩具。
【０００６】
請求項２記載の考案は、請求項１記載の玩具において、前記接着手段は、前記駒部材と表示部材の表示面にそれぞれ形成された面ファスナーから成ることを特徴とする。
【０００７】
請求項３記載の考案は、請求項２記載の玩具において、前記表示部材の表示面が前記面ファスナーを構成する一方のファスナーとされるとともに、前記駒部材の前記表示面に対する接着面が前記面ファスナーを構成する他方のファスナーとされたことを特徴とする。
【０００８】
請求項４記載の考案は、請求項３記載の玩具において、前記駒部材は、所定の色の布材から成り、その裏面に前記他方の面ファスナーが形成されたことを特徴とする。
【０００９】
請求項５記載の考案は、請求項１〜４の何れか１つに記載の玩具において、前記駒部材は、外輪郭形状が円形とされたことを特徴とする。
【考案の効果】
【００１０】
請求項１の考案によれば、複数の駒部材を表示面に表示された任意位置の形状に合致させつつ接着手段にて接着させることにより、当該表示面に所望の図柄を表示可能とされたので、幼児の表現力を向上させつつ手先の器用さ等をより一層向上させることができる。すなわち、駒部材を表示面の形状に正確に合致させつつ接着させ、それらを一つの図柄として表示させる必要があることから、表現力に加え、手先の器用さを向上させることができるのである。
【００１１】
請求項２の考案によれば、接着手段は、駒部材と表示部材の表示面にそれぞれ形成された面ファスナーから成るので、磁石等に比べて、玩具全体を軽量化することができ容易に搬送することができるとともに、表示面に表示された隣り合う位置の形状に駒部材を接着しても、磁力等が及ぼし合うことがなく、良好且つ確実に駒部材を表示面に接着させることができる。さらに、駒部材を磁石等にて接着させるものに比べ、幼児が扱う際の安全性を確保することができる。
【００１２】
請求項３の考案によれば、表示部材の表示面が面ファスナーを構成する一方のファスナーとされるとともに、駒部材の表示面に対する接着面が面ファスナーを構成する他方のファスナーとされたので、駒同士が不用意に接着してしまうのを回避でき、より円滑に遊ぶことができる。
【００１３】
請求項４の考案によれば、駒部材は、所定の色の布材から成り、その裏面に他方の面ファスナーが形成されたので、駒部材をより軽量化することができ、より一層円滑に遊ぶことができる。
【００１４】
請求項５の考案によれば、駒部材は、外輪郭形状が円形とされたので、外輪郭形状が四角等の矩形状のものに比べ、表示面全体の図柄をより細かく表現させることができる。
【図面の簡単な説明】
【００１５】
【図１】本考案の実施形態に係る玩具における表示部材を示す平面図及び側面図
【図２】同玩具における駒部材を示す平面図及び側面図
【図３】同玩具の表示部材の表示面の任意位置に駒部材を接着して所望の図柄を表示した状態を示す模式図
【図４】同玩具の面ファスナーを構成する一方のファスナー及び他方のファスナーを示す模式図
【図５】本考案の他の実施形態に係る玩具を示す平面図及び側面図
【図６】本考案の更に他の実施形態に係る玩具を示す平面図及び側面図
【考案を実施するための形態】
【００１６】
以下、本考案の実施形態について図面を参照しながら具体的に説明する。
本実施形態に係る玩具は、幼児の表現力を向上させるためのもので、図１〜３に示すように、互いに同一形状及び同一寸法に形成された複数の駒部材１と、駒部材１のそれぞれの外輪郭形状に合致する形状Ｃが複数並んで表示された表示部材２と、駒部材１を表示部材２の表示面３ａに脱着自在な状態で接着させ得る接着手段としての面ファスナー（一方のファスナー３及び他方のファスナー４）とを有して構成されている。
【００１７】
駒部材１は、図２に示すように、外輪郭形状が円形の部材から成り、それぞれが同一寸法（同一径）に設定されている。かかる駒部材１は、所定の色の布材（例えば不織布等）から成り、裏面（表示面３ａに対する接着面）に面ファスナーを構成する他方のファスナー４が接着剤等にて接着固定されている。なお、駒部材１は、布材から成るものに限定されず、例えば表示面３ａに対する接着面に面ファスナー４が粘着された厚紙等としてもよい。
【００１８】
表示部材２は、図１に示すように、矩形状の木材等の表面に面ファスナーを構成する一方のファスナー３が接着剤等にて接着固定されたもので、当該一方のファスナー３の表面は、駒部材１のそれぞれの外輪郭形状に合致する形状Ｃ（駒部材１と同一径の円形）が複数並んで表示された表示面３ａとされている。本実施形態に係る形状Ｃは、例えば一方のファスナー３の表面に印刷等にて描かれた複数の形状（円形状）から成り、表示面３ａの全域に亘って多数表示されている。
【００１９】
接着手段としての面ファスナーは、一方のファスナー３を他方のファスナー４に接着可能なものから成り、例えば図４に示すように、フック状の機能面Ａを有する他方のファスナー４をループ状に密集した機能面Ｂを有する一方のファスナー３に接触させ、フック状の機能面Ａがループ状の機能面Ｂに絡んで接着されるとともに、他方のファスナー４を一方のファスナー３から剥がす方向に力を加えると、ループ状の機能面Ｂに対するフック状の機能面Ａの絡まりが容易に解かれて接着が解かれるようになっている。
【００２０】
このように、面ファスナーを用いることによって、駒部材１を表示面３ａに対して脱着自在な状態で接着させることができ、繰り返し遊ぶことができるのである。なお、接着手段としての面ファスナーは、フック状の機能面Ａ及びループ状の機能面Ｂにて接着させるものに限らず、他の形態（例えばマッシュルーム状の機能面や鋸歯状の機能面を有するもの等）としてもよい。
【００２１】
そして、図３に示すように、複数の駒部材１を表示面３ａに表示された任意位置の形状Ｃに合致させつつ接着手段（一方のファスナー３及び他方のファスナー４）にて接着させることにより、当該表示面３ａに所望の図柄を表示させることができるのである。例えば、同図に示すように、表示面３ａの中央にウサギ等の動物の図柄を表示させるとともに、その両側に草や花等の植物の図柄を表示させることができる。
【００２２】
また、本実施形態に係る駒部材１は、互いに異なる複数の色に着色されており、表示部材２の表示面３ａに接着されると、駒部材１の表面の色が外部に臨むようになっている。これにより、任意に色分けした図柄を表示させることができ、色彩感覚を含んだ表現力をより向上させることができるとともに、本玩具にて遊ぶ際、幼児に興味を持たせることができる。
【００２３】
上記実施形態によれば、複数の駒部材１を表示面３ａに表示された任意位置の形状Ｃに合致させつつ接着手段（面ファスナー）にて接着させることにより、当該表示面３ａに所望の図柄を表示可能とされたので、幼児の表現力を向上させつつ手先の器用さ等をより一層向上させることができる。すなわち、駒部材１を表示面３ａの形状に正確に合致させつつ接着させ、それらを一つの図柄として表示させる必要があることから、表現力に加え、手先の器用さを向上させることができるのである。
【００２４】
また、本実施形態に係る接着手段は、駒部材１と表示部材２の表示面３ａにそれぞれ形成された面ファスナーから成るので、磁石等に比べて、玩具全体を軽量化することができて容易に搬送することができるとともに、表示面３ａに表示された隣り合う位置の形状Ｃに駒部材１を接着しても、磁力等が及ぼし合うことがなく、良好且つ確実に駒部材１を表示面３ａに接着させることができる。さらに、駒部材１を磁石等にて接着させるものに比べ、幼児が扱う際の安全性を確保することができる。
【００２５】
またさらに、表示部材２の表示面３ａが面ファスナーを構成する一方のファスナー３とされるとともに、駒部材１の表示面３ａに対する接着面が面ファスナーを構成する他方のファスナー４とされたので、駒同士が不用意に接着してしまうのを回避でき、より円滑に遊ぶことができる。また、本実施形態に係る駒部材１は、所定の色の布材から成り、その裏面に他方の面ファスナー４が形成されたので、駒部材１をより軽量化することができ、より一層円滑に遊ぶことができる。
【００２６】
加えて、本実施形態に係る駒部材１は、外輪郭形状が円形とされたので、外輪郭形状が四角等の矩形状のものに比べ、表示面全体の図柄をより細かく表現させることができる。なお、駒部材１は、外輪郭形状が矩形状や楕円形状のものであってもよく、表面側に盛り上がった立体的形状であってもよい。また、表現可能な図柄の見本（配色等も含む）を用意して、幼児による表示を容易に行わせるようにしてもよい。
【００２７】
表示部材２は、木材から成るものに限らず、例えば樹脂や発泡スチロール等の表面に表示面３ａを有する接着手段を形成するものとしてもよい。また、図５に示すように、表示部材２を差し込み可能な切欠き５ａを有した脚部材５を具備し、その脚部材５にて表示部材２を立設して支持させるようにしてもよい。このように、表示部材２を立設して支持させることにより、表示面３ａを周囲から見やすくすることができ、装飾品として活用することができる。
【００２８】
さらに、表示部材２の表示面３ａに表示された形状Ｃに代え、図６に示すように、駒部材１の外輪郭形状に合致（対応）する格子状の形状Ｄとしてもよい。すなわち、駒部材１のそれぞれの外輪郭形状に合致する形状は、当該駒部材１の外輪郭と略同一形状のものに限らず、格子状（形状）Ｄの如く駒部材１と対応して合致可能な他の形状であってもよいのである。この場合であっても、複数の駒部材１を表示面３ａに表示された任意位置の形状Ｄに合致（対応）させつつ接着手段（面ファスナー）にて接着させることにより、図６に示すように、当該表示面３ａに所望の図柄を表示可能とされたので、幼児の表現力を向上させつつ手先の器用さ等をより一層向上させることができる。
【００２９】
すなわち、駒部材１と表示面３ａに表示された任意位置の形状Ｄとが異なるものであっても、駒部材１を当該形状Ｄ内に正確に対応させて合致させつつ接着させ、それらを一つの図柄として表示させる必要があることから、表現力に加え、手先の器用さを向上させることができるのである。なお、表示面３ａに表示された形状は、円形又は矩形に限らず、駒部材１と対応させて合致させることが可能な他の種々形状とすることができる。
【００３０】
以上、本実施形態について説明したが、本考案はこれに限定されず、例えば駒部材１と表示部材２の表示面３ａとの接着手段は、面ファスナーに限定されるものではなく、例えば磁石等を接着手段としてもよい。この場合であっても、駒部材１を表示面３ａの形状に正確に合致させつつ接着させ、それらを一つの図柄として表示させる必要があることから、表現力に加え、手先の器用さを向上させることができるのである。
【産業上の利用可能性】
【００３１】
複数の駒部材を表示面に表示された任意位置の形状に合致させつつ接着手段にて接着させることにより、当該表示面に所望の図柄を表示可能とされた玩具であれば、外観形状が異なるもの或いは他の機能が付加されたもの等にも適用することができる。
【符号の説明】
【００３２】
１  駒部材
２  表示部材
３  一方のファスナー（面ファスナー）
３ａ  表示面
４  他方のファスナー（面ファスナー）
５  脚部材
Ｃ  駒部材の外輪郭形状に合致する形状の表示
Ｄ  駒部材の外輪郭形状に合致する形状の表示
【図１】
0003206878.tif 000003
【図２】
0003206878.tif 000004
【図３】
0003206878.tif 000005
【図４】
0003206878.tif 000006
【図５】
0003206878.tif 000007
【図６】
0003206878.tif 000008